(57)【要約】【課題】  テンキーを点灯するＬＥＤ素子などのテンキー表示素子を用いて時刻を表示するように構成し時刻表示を視認しし易くした携帯電話を提供する。【解決手段】  テンキー表示素子２３を有する複数のテンキー２３ａ等を備えた携帯電話１０において、前記携帯電話１０は、時計回路２１と時刻検出手段２２と時刻報知手段１５とテンキー表示制御部２４とを備え、時刻報知手段１５からの時報音と同期し、テンキー表示制御部２４は、時刻に対応した数のテンキー表示素子２３を、点灯ないしは点滅制御する。【選択図】        図１
2006261944.tif 000002
【特許請求の範囲】
【請求項１】
テンキー表示素子を有する複数のテンキーを備えた携帯電話において、
前記携帯電話は、時計回路と時刻検出手段と時刻報知手段とテンキー表示制御部とを備え、
時刻報知手段からの時報音と同期し、テンキー表示制御部は、時刻に対応した数のテンキー表示素子を点灯制御することを特徴とする携帯電話。
【請求項２】
前記テンキー表示制御部は、点灯させるテンキー表示素子の表示色を変化させるとともに、表示色を変化させるテンキー表示素子の位置を順次移動させることを特徴とする請求項１に記載の携帯電話。
【請求項３】
テンキー表示素子を有する複数のテンキーを備えた携帯電話において、
前記携帯電話は、時計回路と時刻検出手段と時刻報知手段とテンキー表示制御部とを備え、
時刻報知手段からの時報音と同期し、テンキー表示制御部は、時刻に対応した数のテンキー表示素子を点滅制御することを特徴とする携帯電話。
【請求項４】
前記テンキー表示制御部は、点滅させる発光素子の表示色を変化させるとともに、表示色を変化させる発光素子の位置を順次移動させることを特徴とする請求項３に記載の携帯電話。
【請求項５】
前記テンキー表示制御部は、点滅させるテンキー表示素子の位置を順次移動させることを特徴とする請求項３に記載の携帯電話。
【請求項６】
前記携帯電話が充電中は、時刻報知手段からの時報音にかかわらず、前記テンキー表示制御部は、時計回路が計数した時刻に対応した数のテンキー表示素子を常時点灯および／または常時点滅制御することを特徴とする請求項１ないし請求項５の何れか１項に記載の携帯電話。
【発明の詳細な説明】
【技術分野】
【０００１】
本発明は、時刻表示機能を有する携帯電話に関するものであり、特にテンキーを点灯するＬＥＤ素子などのテンキー表示素子を用いて時刻を表示するように構成した携帯電話に関するものである。
【背景技術】
【０００２】
一般的に液晶表示ユニットやＬＥＤ発光素子などからなる表示素子を有する電子機器は時計回路を備えており、時刻表示や時刻報知をすることができる。時刻表示の方法としては種々の方法があり、例えば、下記の特許文献１（特開２００３−３０２４８３号公報）には、ＬＥＤ発光素子を点滅させ、点滅の回数により時刻を表示するし時刻報知装置が開示されている。
【０００３】
この特許文献１に開示された時刻報知装置は、スタートスイッチとしての入力部と、標準時間に対応した現在時刻を常時更新して時刻の情報を数値として保有している時計機能回路と、前記入力部からの信号を受けて前記時計機能回路より時刻情報を取得する表示制御回路と、この表示制御回路からの出力信号によって発光素子を点滅動作させる表示部とから構成されている。そしてこの時刻報知装置は入力部からの入力信号に対応した現在時刻を発光素子の点滅回数によって表示するようにされている。
【０００４】
また、下記の特許文献２（特開２００１−２３７９１５号公報）には、報知音により時刻報知を行う報知音生成ユニット及び携帯電話などの携帯情報端末用アクセサリが開示されている。
【０００５】
この特許文献２に開示された報知音生成ユニット及び携帯電話などの携帯情報端末用アクセサリは、携帯電話のアンテナに取付けて使用され、コネクタ、ボイスシンセサイザＩＣ及びＩＣメモリ等を内蔵している。ＩＣメモリには着信音（着信メロディ）の音声データが記憶されている。ＩＣメモリに記憶された音声データは、例えば、インターネットによりダウンロードした音声データをパソコンからコネクタを介して入力して書替え可能となっている。そしてボイスシンセサイザＩＣはアンテナに着信電波が受信されてトランジスタがオンすると、ＩＣメモリの音声データを楽器等の音色まで再生可能に合成処理され得る音声信号に復号し、スピーカからはその音声信号に基づき例えば楽器の音色で着信音が奏でられるように構成されている。
【０００６】
時刻報知を行う場合は、時計回路の時報時に報知音生成ユニットへのスイッチをオンして報知音生成ユニットに内蔵されたボイスシンセサイザから音声データを出力させてスピーカから時報の報知音を出力するようにしている。
【０００７】
ところで、一般に携帯電話においてはユーザに時刻をアラーム報知したり、通話後に通話時間を表示したり、また、着信記録、発信記録に発進時間、着信時間を記憶するために時計回路を有しており、現在時刻を液晶表示部に表示することも行われている。時刻表示機能を有する携帯電話機は、例えば、下記の特許文献３（特開２００２−９４６１５号公報）に開示されている。この特許文献１に開示された携帯電話機は、通話中に表示部に時刻表示させることを可能としたものであり、また、時刻表示キーを押すことにより、時刻表示中は時刻表示を消滅させ、時刻表示していないときは時刻表示させるように構成したものである。
【特許文献１】特開特開２００３−３０２４８３号公報（図１）
【特許文献２】特開２００１−２３７９１５号公報（図２、段落［００２９］、［００３４］）
【特許文献３】特開２００２−９４６１５号公報（図１、図２）
【発明の開示】
【発明が解決しようとする課題】
【０００８】
ところで、上記特許文献３に開示されたように液晶表示部に時刻表示する態様では、表示される時刻はテキスト（数字）であり、比較的小さな文字で表示されるため、時刻を視認し難いという問題点があった。特に、夜間に枕元で充電中に視認が困難であるという問題点があった。
【０００９】
また、携帯電話機は通常充電ユニットにより充電された二次電池から必要最低限の回路要素に給電して待ち受け動作をしている。すなわち、通常、携帯電話は省電力モードで動作しており、操作・入力部で携帯電話に何らかの操作が加えられたり、メールや電話の着信があった時に所用の各回路要素部に給電が開始される。従って、時刻表示やアラーム機能も同様である。このような携帯電話において、時刻表示をする場合、上記特許文献３に開示された携帯電話のように液晶表示部を用いて時刻表示を行うと、その消費電力が大きいという問題点があった。
【００１０】
本願の発明者は上記問題点を解消すべく種々検討を重ねた結果、携帯電話のテンキーに設けられたＬＥＤ素子などの発光表示素子を用いて時刻表示を行うようになせば上記の問題点を解消し得ることに想到して本発明を完成するに至ったものである。
【００１１】
すなわち、本発明は上記の問題点を解消することを課題とし、テンキーを点灯するＬＥＤ素子などのテンキー表示素子を用いて時刻を表示するように構成し時刻表示を視認しやすくした携帯電話を提供することを目的とする。
【課題を解決するための手段】
【００１２】
前記課題を解決するために、本願の請求項１にかかる発明は、
テンキー表示素子を有する複数のテンキーを備えた携帯電話において、
前記携帯電話は、時計回路と時刻検出手段と時刻報知手段とテンキー表示制御部とを備え、
時刻報知手段からの時報音と同期し、テンキー表示制御部は、時刻に対応した数のテンキー表示素子を点灯制御することを特徴とする。
【００１３】
また、本願の請求項２にかかる発明は、請求項１にかかる発明において、テンキー表示制御部は、点灯させるテンキー表示素子の表示色を変化させるとともに、表示色を変化させるテンキー表示素子の位置を順次移動させることを特徴とする。
【００１４】
本願の請求項３にかかる発明は、
テンキー表示素子を有する複数のテンキーを備えた携帯電話において、
前記携帯電話は、時計回路と時刻検出手段と時刻報知手段とテンキー表示制御部とを備え、
時刻報知手段からの時報音と同期し、テンキー表示制御部は、時刻に対応した数のテンキー表示素子を点滅制御することを特徴とする。
【００１５】
また、本願の請求項４にかかる発明は、請求項３にかかる発明において、テンキー表示制御部は、点滅させる発光素子の表示色を変化させるとともに、表示色を変化させる発光素子の位置を順次移動させることを特徴とする。
【００１６】
また、本願の請求項５にかかる発明は、請求項３にかかる発明において、点滅させるテンキー表示素子の位置を順次移動させることを特徴とする。
【００１７】
本願の請求項６にかかる発明は、請求項１ないし請求項５の何れかにかかる発明において、携帯電話が充電中は、時刻報知手段からの時報音にかかわらず、前記テンキー表示制御部は、時計回路が計数した時刻に対応した数のテンキー表示素子を常時点灯および／または常時点滅制御することを特徴とする。
【発明の効果】
【００１８】
請求項１ないし請求項５にかかる発明においては、テンキー表示素子を用いて時刻表示を行うように構成し、各テンキー表示素子の点灯や点滅およびその発光色、点灯、点滅されるテンキー表示素子の移動によって時刻表示が行われるため、液晶表示部に時刻を表示する態様に比べ、テンキー表示素子の点灯数や点滅数、その表示色や表示位置によって表示時刻を容易に視認することができるようになり、また、電力消費を小さくすることができるようになる。
【００１９】
また、請求項６にかかる発明においては、携帯電話が充電中は、時刻報知手段からの時報音にかかわらず、前記テンキー表示制御部は、時計回路が計数した時刻に対応した数のテンキー表示素子を常時点灯および／または常時点滅制御する。従って、二次電池の充電電力を気にしなくてよい携帯電話の充電中には、テンキー表示素子の時刻表示を常時点灯／点滅させることができ、夜間に枕元などに充電ユニットを置いて携帯電話、二次電池に充電している際の時刻表示として視認し易い時刻表示を提供することができるようになる。特に、就寝時にメガネやコンタクトレンズを外す使用者は現在何時であるかを視認し易い。
【発明を実施するための最良の形態】
【００２０】
以下、本発明の具体例を実施例及び図面を用いて詳細に説明する。図１は、本発明の実施例にかかる携帯電話の構成を示すブロック図である。図２は、図１の携帯電話の外観を示す正面図である。図３ないし図７は、テンキーを点灯するための表示素子の点灯制御の態様を示す制御テーブルの模式図である。
【実施例１】
【００２１】
本発明にかかる携帯電話１０は、図１に示すように、マイクロプロセッサなどのＣＰＵで構成される制御部（ＣＰＵ）１１、無線部１２、音声回路１３、マイク１４、スピーカ１５、記憶装置１６、液晶表示部１７、液晶表示制御部１８、操作入力部１９を備えている。制御部１１はＲＯＭ、ＲＡＭ、半導体メモリなどからなる記憶装置に蓄積された制御プログラム、アプリケーションプログラムにより各部の動作を制御する。無線部１２は図示しないアンテナを介して基地局との電波の送受信を行う。
【００２２】
音声回路１３は、ＣＤＭＡ（Code Division Multiple Access）処理部および音声ＣＯＤＥＣ処理部を含んで構成されている。ＣＤＭＡ処理部は、符号分割多重接続を行う回路であり基地局からの電波信号（複数の発信者の音声信号にそれぞれ異なる符号を乗算し、すべての音声信号を合成して１つの周波数を使って送られてきた信号）を受信し、所望の相手の符号を合成信号に乗算することにより、相手の音声信号のみを取り出すように機能する。音声ＣＯＤＥＣ部は、音声信号を圧縮（符号化）・伸長（復号化）させたり、Ａ／Ｄ変換・Ｄ／Ａ変換させたりするものである。マイク１４から入力された音声は音声回路１３、無線部１２を介して基地局に送信され、基地局から無線部１２を介して受信した音声は音声回路１３を介してスピーカ１５に出力される。また、スピーカ１５は携帯電話１０におけるアラーム報知や時報などの時刻報知やその他各種の報知音を出力する。
【００２３】
記憶装置１６に記憶された電話帳や、着信した電子メールなどの情報は、液晶表示制御部１８により画像データに変換され、液晶表示部１７に表示される。操作・入力部１９は、テンキーやファンクションキー、スクロロールキーなどから構成され、携帯電話１０の通話機能やデータ通信機能を使用するためにユーザが種々の操作、入力を行うためのものである。
【００２４】
操作・入力部１９のテンキーなどはタッチパネル式のスイッチで構成され、各テンキーなどはＬＥＤ素子などのような発光素子からなるテンキー表示素子２３を有しており、これらのテンキー表示素子２３は、テンキー表示制御部２４の制御により個々の点灯、消灯、点滅が行われる。一般的には、操作・入力部１９により何らかの操作が行われ、テンキーによる入力を可能にする状態になるとテンキー表示制御部２４が各テンキー表示素子２３を点灯し、入力操作を容易にするようにしている。図２は、図１の携帯電話の外観を示す正面図である。テンキー２３ａは、図２に示すように１２個のキー（図２では数値０〜９とシャープ記号、＊記号）から構成され、タッチパネル式のキーとテンキー表示素子２３を備えている。メールのテキストや電話帳や各種のメニュー画像は液晶表示部１７に表示される。
【００２５】
時計回路２２は標準クロック信号やクリスタル発信器などにより時間を計数する回路であり、時刻検出部２２は時計回路２２の計数に基づいて、設定されたアラーム時刻や現在時刻、時報報知時刻を検出して時刻表示をしたり、時刻報知（アラームや時報などの時刻報知）をするために使用され、アラームや時報などの時刻報知はスピーカ１５により出力される。報知音は例えば時報のように第１音から第３音までの３音により報知される。本発明においては、テンキー表示制御部２４に用意された制御テーブルに基づいてテンキー表示素子２３の点灯状態を制御して行う。制御の詳細については後述する。なお、各テンキー表示素子２３は、光の３原色である「赤、青、緑」の３つの発光素子を備えている。
【００２６】
携帯電話１０は通常、充電された二次電池３１により各部に給電されるが、二次電池に充電された電力が低下するため、一定の時間経過すると二次電池３１に充電する必要が生じる。この場合、ＡＣ電源に接続された充電ユニット４０を、充電ユニット接続部３０を介して携帯電話１０に接続して二次電池３１を充電して使用する。充電中は、携帯電話自体の省電力に留意することはないため、本発明によるテンキー表示素子による時刻表示を常時行うことができる。
【００２７】
以下、図３ないし図７に示すテンキー表示素子２３の点灯制御の態様を示す制御テーブルに基づいて本発明の実施例にかかる時刻表示の態様について説明する。なお、以下の説明において個々のテンキー表示素子は区別するため図２に示した各キーの数字、記号を用いて各テンキーを特定して説明する。
【００２８】
本発明の実施例１にかかる態様によれば、テンキー表示制御部２４には例えば図３に示す制御テーブルが用意されており、これに基づいて各テンキー表示素子２３の点灯を制御する。すなわち、図３は午前３時または午後３時の時刻報知とテンキーによる時刻表示を制御する場合を示しており、時刻検出部２２が時計回路２１の計数している時刻を検出し、午前３時または午後３時になると、テンキー表示制御部２４は時刻報知の第１音と同期してテンキー表示素子「１」を赤色発光、テンキー表示素子「２」とテンキー表示素子「３」を青色発光させる。他のテンキー表示素子「４」〜「０」、「＊」、「＃」は消灯のままである。
【００２９】
次いで、時刻報知の第２音と同期してテンキー表示素子「１」とテンキー表示素子「２」を赤色発光、テンキー表示素子「３」を青色発光させ、時刻報知の第３音と同期してテンキー表示素子「１」〜テンキー表示素子「３」を赤色発光させる。この間、他のテンキー表示素子「４」〜「０」、「＊」、「＃」は消灯のままである。この態様によれば、テンキー表示素子「１」〜「３」の全てが赤色発光された時点で午前または午後３時であること容易に視認できる。
【実施例２】
【００３０】
本発明の実施例２にかかる態様によれば、テンキー表示制御部２４には例えば図４に示す制御テーブルが用意されており、これに基づいて各テンキー表示素子２３の点灯を制御する。すなわち、図４は午前３時または午後３時の時刻報知とテンキーによる時刻表示を制御する場合を示しており、時刻検出部２２が時計回路２１の計数している時刻を検出し、午前３時または午後３時になると、テンキー表示制御部２４は時刻報知の第１音と同期してテンキー表示素子「１」を赤色発光、テンキー表示素子「２」とテンキー表示素子「３」を青色発光させる。他のテンキー表示素子「４」〜「０」、「＊」、「＃」は消灯のままである。
【００３１】
次いで、時刻報知の第２音と同期してテンキー表示素子「１」とテンキー表示素子「３」を青色発光、テンキー表示素子「２」を赤色発光させ、時刻報知の第３音と同期してテンキー表示素子「１」とテンキー表示素子「２」を青色発光、テンキー表示素子「３」を赤色発光させる。この間、他のテンキー表示素子「４」〜「０」、「＊」、「＃」は消灯のままである。この態様によれば、赤色発光するテンキー表示素子が順次移動してテンキー表示素子「３」が赤色発光された時点で午前または午後３時であること容易に視認できる。
【実施例３】
【００３２】
本発明の実施例３にかかる態様によれば、テンキー表示制御部２４には例えば図５に示す制御テーブルが用意されており、これに基づいて各テンキー表示素子２３の点灯を制御する。すなわち、図５は午前３時または午後３時の時刻報知とテンキーによる時刻表示を制御する場合を示しており、時刻検出部２２が時計回路２１の計数している時刻を検出し、午前３時または午後３時になると、テンキー表示制御部２４は時刻報知の第１音と同期してテンキー表示素子「１」を赤色発光、テンキー表示素子「２」とテンキー表示素子「３」を青色発光させる。この時、他のテンキー表示素子「４」〜「０」、「＊」、「＃」を緑色発光させる。
【００３３】
次いで、時刻報知の第２音と同期してテンキー表示素子「１」とテンキー表示素子「２」を赤色発光、テンキー表示素子「３」を青色発光させ、時刻報知の第３音と同期してテンキー表示素子「１」〜テンキー表示素子「３」を赤色発光させる。この間、他のテンキー表示素子「４」〜「０」、「＊」、「＃」は緑色発光させる。この態様によれば、テンキー表示素子「１」〜「３」の全てが赤色発光された時点で午前または午後３時であること容易に視認できる。
【実施例４】
【００３４】
本発明の実施例４にかかる態様によれば、テンキー表示制御部２４には例えば図６に示す制御テーブルが用意されており、これに基づいて各テンキー表示素子２３の点灯を制御する。すなわち、図６は午前３時または午後３時の時刻報知とテンキーによる時刻表示を制御する場合を示しており、時刻検出部２２が時計回路２１の計数している時刻を検出し、午前３時または午後３時になると、テンキー表示制御部２４は時刻報知の第１音と同期してテンキー表示素子「１」を点滅、テンキー表示素子「２」とテンキー表示素子「３」を点灯させる。他のテンキー表示素子「４」〜「０」、「＊」、「＃」は消灯のままである。
【００３５】
次いで、時刻報知の第２音と同期してテンキー表示素子「１」とテンキー表示素子「２」を点滅、テンキー表示素子「３」を点灯させ、時刻報知の第３音と同期してテンキー表示素子「１」〜テンキー表示素子「３」を点滅させる。この間、他のテンキー表示素子「４」〜「０」、「＊」、「＃」は消灯のままである。この態様によれば、テンキー表示素子「１」〜「３」の全てが点滅表示された時点で午前または午後３時であること容易に視認できる。
【実施例５】
【００３６】
本発明の実施例５にかかる態様によれば、テンキー表示制御部２４には例えば図７に示す制御テーブルが用意されており、これに基づいて各テンキー表示素子２３の点灯を制御する。すなわち、図７は午前３時または午後３時の時刻報知とテンキーによる時刻表示を制御する場合を示しており、時刻検出部２２が時計回路２１の計数している時刻を検出し、午前３時または午後３時になると、テンキー表示制御部２４は時刻報知の第１音と同期してテンキー表示素子「１」〜テンキー表示素子「３」を青色発光させる。他のテンキー表示素子「４」〜「０」、「＊」、「＃」は消灯のままである。
【００３７】
次いで、時刻報知の第２音、第３音と同期してそれぞれ第１音の場合と同様にテンキー表示素子「１」〜テンキー表示素子「３」を青色発光させ、他のテンキー表示素子「４」〜「０」、「＊」、「＃」は消灯のままとする。このような態様によっても報知音とテンキー表示素子「１」〜テンキー表示素子「３」が青色発光されていることによって午前または午後３時であることを容易に視認できる。
【００３８】
上記実施例１ないし実施例５においては、午後と午前の同時刻表示は同じ表示とした例を示したが、１２個のテンキー表示素子２３の他に、他のファンクションキーを構成する表示素子を１つもしくは２つ定めておき、この表示素子を午前と午後を区別するために点灯、消灯、点滅制御するように構成することもできる。
【００３９】
以上、詳細に説明したように本発明にかかる携帯電話によれば、テンキー表示素子を用いて時刻表示を行うように構成したため、各テンキー表示素子の点灯や点滅およびその発光色によって時刻表示が行われるため、液晶表示部に時刻を表示する態様に比べ、点灯数や点滅数で表示時刻を容易に視認することができるようになり、また、電力消費を小さくすることができるようになる。
【００４０】
特に、二次電池の充電電力を気にしなくてよい携帯電話の充電中には、テンキー表示素子の時刻表示を常時点灯／点滅させることができ、夜間に枕元などに充電ユニットを置いて携帯電話、二次電池に充電している際の時刻表示として視認し易い時刻表示を提供することができるようになる。
【図面の簡単な説明】
【００４１】
【図１】本発明の実施例にかかる携帯電話の構成を示すブロック図である。
【図２】図１の携帯電話の外観を示す正面図である。
【図３】テンキーを点灯するためのテンキー表示素子の点灯制御の１態様を示す制御テーブルの模式図である。
【図４】テンキーを点灯するためのテンキー表示素子の点灯制御の他の態様を示す制御テーブルの模式図である。
【図５】テンキーを点灯するためのテンキー表示素子の点灯制御の更に他の態様を示す制御テーブルの模式図である。
【図６】テンキーを点灯するためのテンキー表示素子の点灯制御の更に他の態様を示す制御テーブルの模式図である。
【図７】テンキーを点灯するためのテンキー表示素子の点灯制御の更に他の態様を示す制御テーブルの模式図である。
【符号の説明】
【００４２】
１０・・・携帯電話
１１・・・制御部（ＣＰＵ）
１２・・・無線部
１３・・・音声回路
１４・・・マイク
１５・・・スピーカ
１６・・・記憶装置
１７・・・液晶表示部
１８・・・液晶表示制御部
１９・・・操作・入力部
２１・・・時計回路
２２・・・時刻検出部
２３・・・テンキー表示素子
２４・・・テンキー表示制御部
３０・・・充電ユニット接続部
３１・・・二次電池
４０・・・充電ユニット
【図１】
2006261944.tif 000003
【図２】
2006261944.tif 000004
【図３】
2006261944.tif 000005
【図４】
2006261944.tif 000006
【図５】
2006261944.tif 000007
【図６】
2006261944.tif 000008
【図７】
2006261944.tif 000009